(57)【要約】      （修正有）【課題】通信を介して行う音響配信の音質の維持である。【解決手段】給湯機１等の住宅設備機器と該機器を遠隔操作するための第一および第二なる複数のリモコン間で相互にデータ送受信を行うための送受信装置を有しその通信方式としてデジタル変調を利用した通信を行う住宅設備機器用リモコンにおいて、前記第一または第二のリモコンで音響信号を取り込みデジタル変換した上で該送受信装置にて他方のリモコンに送信し、該リモコンで受信し蓄積されたデジタルデータの蓄積量に応じて、アナログ変換する速度を可変することを特徴とする住宅設備機器用リモコンシステム。【選択図】図４
2005167419.tif 000002
【特許請求の範囲】
【請求項１】
給湯機等の住宅設備機器と該機器を遠隔操作するための第一および第二なる複数のリモコン間で相互にデータ送受信を行うための送受信装置を有しその通信方式としてデジタル変調を利用した通信を行う住宅設備機器用リモコンにおいて、前記第一または第二のリモコンで音響信号を取り込みデジタル変換した上で該送受信装置にて他方のリモコンに送信し、該リモコンで受信し蓄積されたデジタルデータの蓄積量に応じて、アナログ変換する速度を可変することを特徴とする住宅設備機器用リモコンシステム。
【請求項２】
前記システムにおいて受信したのちアナログ変換された後のデータである音の大きさを計測し、ハウリングの有無の判断を可能としハウリング状態を解除する住宅設備機器用リモコンシステム
【発明の詳細な説明】
【技術分野】
【０００１】
本発明は、浴室や台所等に給湯を行う給湯機を始めとする各種住宅設備機器を遠隔操作・制御するために使用されるリモコンに係り、特に音響信号の音質劣化防止に好適な通信システムおよび信号処理に関する発明である。  
【背景技術】
【０００２】
従来の通信を介して音響信号を配信するシステムにおいて、全データを受信完了する待ち時間を減らす為に、配信データを受信端末側では受信開始するとともにデジタルデータをアナログデータに変換して直ちに再生する方式がなされている。（例えば、特許文献１参照。）。
このような場合、受信する端末側にデータを蓄積する十分なメモリ量がない場合データがあふれてしまうのでデータを消失し雑音の要因となる問題があった。
【０００３】
また、配信中に著しく通信速度が遅くなってしまった場合受信する端末側で空のデータをアナログ変換してしまい雑音の要因となる問題にもなる。
【０００４】
一方、配信されたデータを受信する端末側で受信しアナログデータに変換して再生する時にそもそも配信前の音響信号自体が音質を損なう要素を含んでいるハウリング現象なるものであった場合正常に音響信号を再生できない問題もあった。通信による配信の仕組みを使わずに自身に直接入力された音響信号を単に増幅するような装置であった場合は前述のハウリング現象を検知できることは知られている。（例えば、特許文献２参照。）
【特許文献１】特開２００１−８２６９公報
【特許文献２】特開平９−３７３８３公報
【発明の開示】
【発明が解決しようとする課題】
【０００５】
本発明は、上記問題を解決するためになされたもので、本発明の課題は、通信を介して行う音響配信の音質の維持である。
【課題を解決するための手段】
【０００６】
上記目的を達成するために請求項１記載の発明によれば、受信側のリモコンで配信された音響データのアナログ化する時の処理速度を受信されて蓄積した量に応じて可変とすることにより、単位時間あたりの処理量を一定にして音質の維持を可能とした。
【０００７】
また、請求項２記載の発明によれば、配信された音響データの中からしく音質を損なう恐れのあるハウリングを検出しこの状態から抜け出ることを可能とした。
【発明の効果】
【０００８】
本発明によれば、音質を常に一定に保つという効果がある。
【発明を実施するための最良の形態】
【０００９】
以下、本発明を実施するための最良の形態を、図面により詳細に説明する。
第一の実施形態として、図１は本実施例を適用する給湯システムを表す。この給湯システムでは、従来通り、浴室リモコン２及び台所リモコン３からキー操作を行うと、その操作に応じた制御データが通信線４を介して給湯機１へと伝送され、給湯機１の動作が制御されるようになっている。また、それ以外に、浴室リモコン２と台所リモコン３との間で通話が行えるようになっている。浴室リモコン２及び台所リモコン３は基本的には同一の構成を有している。またこの時、通信手順が給湯機１と浴室リモコン２及び台所リモコン３においてそれぞれに新旧互換性がある場合についての手順を図２のフローチャートを用いて説明する。まず給湯機１から新しい通信手順によって浴室リモコン２に対して送信を行う。浴室リモコン２はその通信手順で受信できると同一の通信手順にて給湯機１に返信を行う。ここで浴室リモコン２が受信できなかった場合は何も返信を行わない。返信を待っている給湯機１では浴室リモコン２の返信に対する時限を設けておりその時限を超えるまで浴室リモコン２から返信がこない場合給湯機１は旧の通信手順でもう一度浴室リモコン２に対して送信を試みる。浴室リモコン２で旧の通信手順で受信ができた場合は同一の通信手順で給湯機１に対して返信を行う。返信を受信した給湯機１は同様に同一の通信手順にて台所リモコン３に対して送信を行う。台所リモコン３で受信が可能であれば同一の通信手順で返信を給湯機１に送る。ここで台所リモコン３が給湯機１からの送信データを受信できなかった場合は浴室リモコン２の時と同様に給湯機１での返信に対する時限内に返信がなされないので通信異常の状態となり、使用者に通知をする。給湯機１に対して浴室リモコン２と台所リモコン３のどちらも返信が成立した場合のみその通信手順は以降継続することになる。
【００１０】
図４はこのリモコンの電気系の機能的構成を示すブロック図である。制御部１１１の指示により外部音声入力部１０１より取り込まれた外部音声がエンコード部１０２に転送されアナログデータをデジタルデータに変換される。変換された後送信バッファ１０３に送られ制御部１１１の指示によってデータ送信部１０４より送信される。この送信されたデータは前述の通信線４を介して他方のリモコンへと通信される。一方、通信線４を介して通信データをデータ受信部１１０にて受信すると受信バッファ１０９に転送されると同時にデータ受信部１１０は受信したことを制御部１１１に通知する。通知を受けた制御部１１１は直ちに受信バッファ１０９に蓄積されたデータ量の調査を始め、受信バッファ１０９の許容容量の５０％を超えると制御部１１１よりデコード部１０８に対してデコード開始命令をだし、デコード部１０８はデコードを開始して音声出力（ＤＡ）部１０７からアナログ化された音声出力を開始する。処理を進めていく中で制御部１１１が受信バッファ１０９のデータ量が許容容量の３０％を下回ることを検知すると制御部１１１はデコード部１０８に対してデコード処理速度をそれまでの６０％の速度で処理するよう指示する。これを受けたデコード部１０８はそれまでの処理速度の６０％の速度で処理していくのでそれまでの受信バッファ１０９のデータ量の減少の速度が遅くなる。ここで通信線４を介して通信されるデータの単位時間あたりの量が均等で継続しておれば受信バッファ１０９のデータ量は増加していく。またこの受信バッファ１０９のデータ量が許容容量の７０％を超えたことを制御部１１１が検知すると制御部１１１はデコード部１０８に対してデコード処理速度をそれまでの１４０％の速度で処理するよう指示する。この指示を受けたデコード部１０８はそれまでの処理速度の１４０％の速度で処理していくのでそれまでの受信バッファ１０９のデータ量の減少の速度が速くなる。ここで通信線４を介して通信されるデータの単位時間あたりの量が均等で継続しておれば受信バッファ１０９のデータ量は減少していく。このように受信バッファ１０９の蓄積量に応じてデコード部１０８がデコード速度を可変することによって受信バッファ１０９は受信データがあふれることもなく、また空の状態にもならない。もし上記の手段をとらなければ受信バッファ１０９の受信データが空の状態になると無音データがエンコードされてしまい音質が低下する。逆に受信バッファ１０９から受信データがあふれてしまった場合はあふれたデータは消失してしまうのでデコードした時に前後のデータとの相関関係が保てなくなり音質が低下する。よって上記の方法によれば正確なデータをデコードすることが可能になり音質の安定が図れる。
【００１１】
以上を図３のフローチャートを用いて説明する。３０１でリモコンが音声データ通信を受信すると３０２の受信バッファに蓄積するようにし３０３にてその受信バッファ蓄積量が３０％未満であれば３０４でのデコード処理速度を通常の６０％のスピードで行う。また３０３にて受信バッファ蓄積量が７０％以上であれば３０６でデコード処理速度を通常の１４０％のスピードで行う。
３０３にて上記いずれでもない場合即ち受信バッファ蓄積量が３０％以上７０％未満であれば３０５にてデコード処理速度を通常のスピードで行う。
【００１２】
ところでこの給湯システムでは浴室リモコン２と台所リモコン３が図１で示すような設置関係にあり、夫々のリモコンから自身でもつ外部音声入力部１０１のひとつであるマイクにて他方のリモコンに対して操作者同士で会話のできるいわゆるインターホン機能を具有している。インターホン機能の特徴としては異なる空間同士で会話ができることがあげられるが昨今では音響的には同一の空間を共有するような建築がなされており、その場合においてこのインターホン機能を用いると自身のリモコンのマイクから入力された音が他方のリモコンのスピーカーから再生され、その音を音響的に空間がつながっているために再度自身のリモコンのマイクに入力されるという循環ができてしまう。この循環過程で都度増幅されてしまういわゆるハウリング現象となってしまう。ここで、前述の夫々のリモコンが音声データをデコードした後の制御方法について説明する。図４でデコードされた音声データは計測部１１２に転送され計測した後その結果によってアッテネータ１１３で減衰され増幅部１１４によってスピーカー１１５で音声鳴動できるよう増幅するよう接続されている。ここで前述のようにデコードされた音声データ即ちアナログデータを増幅部１１４に転送する前に振幅の大きさを計測部１１２によって計測する。この計測値が出力可能な上限値の８０％を超えておれば一旦の音声出力部１０７での音声出力を一定時間（例えば０．５秒間）無にしてからアッテネータ１１３での減衰率を５０％にした上で一旦音声出力部１０７での音声出力を再開する。これによれば一定時間無音状態が継続されるので空間を介しての音のループは中断されることになり、次に音が再開されても小さくなるので循環は解かれる。もしここで循環が解かれず前述の計測値が出力可能な上限値の８０％を超えておれば更に同じ手順を用いてアッテネータ１１３で更に減衰率を現在値の５０％にする。この行為を上限値の８０％を下回るまで行う。これらを図５のフローチャートを用いて説明する。５０１でインターホン使用すると５０２でリモコンがインターホン音声の受信を始め５０３でそのデジタルデータをデコードし５０４でそのアナログデータの音量を計測するこの時５０５にてその計測値が出力最大値の８０％以上であれば５０６の検出回数の計測にいくがそうでない場合はこの処理から抜ける。５０６にて連続して２０００回以上検出すればハウリングと判定して５０７に進む。連続して２０００回以上検出できなければこの処理から抜ける。５０７では一旦音声出力を０．５秒間停止させてハウリングの発生循環を断ち切る。そして５０８でアッテネータ減衰率を現状の５０％にしてから５０９で音声の出力を開始して処理から抜ける。
【００１３】
第二の実施形態としては第一の実施形態で決定された図４のアッテネータ１１３の値を永久記憶しておくことでインターホン機能を使用する度に第一の実施形態のようにハウリング検出されるまで不快な音が出るということは避けることができる。
【００１４】
第三の実施形態としては第一の実施形態で決定された図４のアッテネータ１１３の値を操作によって任意に変更可能としておくことで例えばインターホン機能を用いて話者が浴室リモコン２あるいは台所リモコン３に近づいて大声で連続して話をすると受信した他方のリモコンから大きな音量で出力されてハウリングと誤認識してしまい第一の実施形態の図４のアッテネータ１１３によって減衰されても元の減衰しない状態に復帰させることが可能となる。
【００１５】
第四の実施形態としてインターホン機能を起動させると話者が交互にしかできない半２重通信方式と強制的に話者を固定させる手段とを選択できるようにし、例えば浴室５で一時的ではあるが暗騒音値が高くなることがよくあり、話声と区別できなくなるとその間浴室リモコン５の方に送話の権利が固定されてしまう場合など、台所リモコン３から操作によって話者を台所リモコン３側に固定して浴室リモコン２側での送話権利を放棄させるとともに強制的に受話側に固定させることが可能となる。そうすると台所６から確実に浴室５に声を伝達することができる。また、浴室リモコン２を送話に、台所リモコン３を受話に固定することによって浴室５内での様子を音によって伺えることが可能になる。
【図面の簡単な説明】
【００１６】
【図１】本発明の給湯システムを示す概略図である。
【図２】本発明の通信手順の互換性を解決するフローチャートを示す
【図３】本発明のデコード速度を可変するフローチャートを示す
【図４】本発明のリモコンの電気系の機能的構成を示すブロック図である。
【図５】本発明の音声データをデコードした後のフローチャートを示す。
【符号の説明】
【００１７】
１…給湯機
２…浴室リモコン
３…台所リモコン
４…通信線
５…浴室
６…台所
Ｐ１…浴室内操作者
Ｐ２…台所内操作者
１０１…外部音声入力部
１０２…エンコード部
１０３…送信バッファ
１０４…データ送信部
１０５…表示部
１０６…操作部
１０７…音声出力部
１０８…デコード部
１０９…受信バッファ
１１０…データ送信部
１１１…制御部
１１２…計測部
１１３…アッテネータ
１１４…増幅部
１１５…スピーカ
【図１】
2005167419.tif 000003
【図２】
2005167419.tif 000004
【図３】
2005167419.tif 000005
【図４】
2005167419.tif 000006
【図５】
2005167419.tif 000007